(57)【要約】【目的】鉄橋など建築構造物において部材接続のために用いられたボルト・ナットの頭部分の再塗装前の従前塗装面剥離作業につき、たとえ、ボルト・ナットが表面側に突出し、大量に存在していても、塗装面の塗装剥離作業を確実、容易に行え、当該箇所における剥離作業の効率を向上でき、剥離作業後の再塗装の仕上がりを最適のものとしうる建築構造物のボルト・ナット部の塗装・錆剥離装置を提供することを目的とするものである。【構成】鋼材製剥離部本体と凹凸形状を刻設して形成した剥離刃とを有する剥離部と、剥離部軸方向に有する円柱状空間部と、円柱状空間部に嵌合する回転部材と、を備え、剥離部は回転部材により軸方向を回転軸として回転可能に構成されたことを特徴とする。【選択図】                図１
0003157391.tif 000002
【実用新案登録請求の範囲】
【請求項１】
螺旋状に延出形成されて、略円筒状態に外観形成された剛性、靭性を有する鋼材製剥離部本体と、該剥離部本体の外周面に連続する凹凸形状を刻設して形成した剥離刃と、を有する剥離部と、
前記剥離部の軸方向に有する円柱状空間部と、
該円柱状空間部内に取り付けられるアタッチメントと、
前記アタッチメントに取り付けられる回転部材と、
を備え、
前記剥離部は、前記回転部材により軸方向を回転軸として回転可能に構成された、
ことを特徴とする塗装・錆剥離装置。
【請求項２】
前記円柱状空間部内には、飛散防止片を設けた、
ことを特徴とする請求項１記載の塗装・錆剥離装置。
【請求項３】
前記剥離部は、前記回転部材に対し、脱着可能に形成された、
ことを特徴とする請求項１及び請求項２記載の塗装・錆剥離装置。
【請求項４】
剛性、靭性を有する鋼材製剥離部本体と、該剥離部本体の外周面に形成された剥離刃と、を有する剥離部と、
前記剥離部の軸方向に有する接続部と、
前記接続部に取り付けられるアタッチメントと、
前記アタッチメントに接続される回転部材と、
を備え、
前記アタッチメントは、前記剥離部に接続される剥離部接続部と、前記回転部材に接続される回転部材接続部と、剥離部接続部及び回転部材接続部とを連結する緩衝性を有する連結部材とよりなり、
前記剥離部は、前記回転部材により軸方向を回転軸として回転可能に構成された、
ことを特徴とする塗装・錆剥離装置。
【考案の詳細な説明】
【技術分野】
【０００１】
この考案は、例えば鉄橋など建築構造物において、接続部に用いられた接続用六角頭ボルト・ナット等の塗装・錆の剥離に用いられる塗装・錆剥離装置に関するものである。
【背景技術】
【０００２】
従来、鉄橋などの建築構造物は鋼材を接合して構成されており、それらを締結するために、六角頭ボルト・ナット、トルシア形ボルト・ナットなどが大量に使用されている。
【０００３】
そして、美観維持、防錆力向上による構造物の耐久性の維持、延命などのために、定期的な再塗装が求められる。
【０００４】
従来の鉄橋など建築構造物においては、従前塗装面の平面部分を剥離する治具、たとえば特開２００４−２１１０４４号公報に記載されている剥離テープなど塗装面剥離治具は比較的多く存在してあり、一般に知られている。
しかし、建築構造物において、部材接続のために使用されたボルト頭部分は表面側に凸状に突出して、しかも大量に存在しているため、従前の塗装剥離治具を使用した剥離作業は困難で剥離作業の効率も悪く、さらには当該箇所の塗装剥離が確実に行えないため、再塗装の仕上がりも低下してしまうとの課題があった。
また前述のとおり、鉄道橋梁等の鋼構造物は、適切な周期で塗り替え塗装を行い腐食による鋼構造物機能の損壊を防ぎ、健全な状態に維持管理することによって、長年月にわたり社会的資産としての価値を維持することが求められる。
前記の塗り替え塗装の工事では、腐食部位の錆や劣化塗膜を完全に除去してから、新規の塗料・塗装系を塗装するが、塗装前の処理（以下、素地調整と言う）が不十分になると塗装後の防錆性・耐久性が激減してしまう。
しかしながら、橋梁架設工法に適用されるボルト継手工法における継手部のボルト・ナット部は角部の多い複雑凸形状をしており、さらに多量のボルト・ナットが集中しているために素地調整が難しい部位とされている。
また、上記のもの以外には従来の再塗装のためのボルト・ナットの塗膜剥離用に空気圧駆動のジェット・タガネ、エア・タガネ、エア・ハンマ等も用いられているが、これらを用いる作業は構造物全体に共鳴・反射し、近隣に対しては大音量の騒音となり、作業者には工具の強烈な振動をもたらしており、重量も大きく作業性が劣ることから騒音問題を回避できる工具の開発が求められていた。
さらには、前記の作業現場では、ボルト・ナットの塗膜剥離だけでなく、ボルト・ナットの局所、例えば、ボルト・ナットの平面やネジのピッチ等の局所に生じた錆の除去作業も必要とされ、従来では、別作業で砥石等によって研磨して錆の除去を行っていたため作業上手間がかかっていた。
【０００５】
そこで、本件考案者らは前記課題などに対処するため、軽量かつ静音で作業高効率である低振動によるボルト・ナットの塗膜・錆の剥離作業を行える装置を考案するに至った。
【先行技術文献】
【特許文献】
【０００６】
【特許文献１】特開２００４−２１１０４４号公報
【考案の概要】
【考案が解決しようとする課題】
【０００７】
かくして、本考案は前述したように従来の課題を解消するために案出されたものであり、鉄橋など建築構造物において部材接続のために用いられたボルト・ナットの頭部分の再塗装前の従前塗装面剥離作業につき、たとえ、ボルト・ナットが表面側に突出して、しかも大量に存在していても、当該塗装面の塗装剥離作業を確実、容易に行え、もって当該箇所における剥離作業の効率を向上でき、さらには、剥離作業後の再塗装の仕上がりを最適のものとしうる建築構造物のボルト・ナット部の塗装・錆剥離装置を提供することを目的とするものである。
【課題を解決するための手段】
【０００８】
本考案による塗装・錆剥離装置は、螺旋状に延出形成されて、略円筒状態に外観形成された剛性、靭性を有する鋼材製剥離部本体と、該剥離部本体の外周面に連続する凹凸形状を刻設して形成した剥離刃と、を有する剥離部と、前記剥離部の軸方向に有する円柱状空間部と、該円柱状空間部内に取り付けられるアタッチメントと、
前記アタッチメントに取り付けられる回転部材と、を備え、前記剥離部は、前記回転部材により軸方向を回転軸として回転可能に構成されたことを特徴とし、
または、前記円柱状空間部内には、飛散防止片を設けた、
ことを特徴とし、
または、前記剥離部は、前記回転部材に対し、脱着可能に形成された、ことを特徴とし、
または、剛性、靭性を有する鋼材製剥離部本体と、該剥離部本体の外周面に形成された剥離刃と、を有する剥離部と、前記剥離部の軸方向に有する接続部と、前記接続部に取り付けられるアタッチメントと、前記アタッチメントに接続される回転部材と、を備え、前記アタッチメントは、前記剥離部に接続される剥離部接続部と、前記回転部材に接続される回転部材接続部と、剥離部接続部及び回転部材接続部とを連結する緩衝性を有する連結部材とよりなり、前記剥離部は、前記回転部材により軸方向を回転軸として回転可能に構成されたことを特徴とするものである。
【考案の効果】
【０００９】
本考案による塗装・錆剥離装置であれば、鉄橋など建築構造物において部材接続のために用いられたボルト・ナットの例えば再塗装前の従前塗装面剥離作業につき、たとえ、ボルト・ナットが表面側に突出して、しかも大量に存在していても、当該塗装面の塗装剥離作業を確実、容易に行え、もって当該箇所における剥離作業の効率を向上でき、剥離作業後の再塗装の仕上がりを最適のものとし、さらには、作業時の接触音が小さく、かつボルト・ナット等との接触時の反発力を吸収して、その反動を軽減でき、均質な素地調節後の表面を確保でき、小型・軽量の開発工具を駆動源に使用できるため、その電動モータ単体の動作音以下で作業でき、塗替え塗装工事につき住宅近隣場所や夜間作業の騒音対策として有効に寄与でき、錆除去に併用でき、またコスト低減にも寄与するとの優れた効果を奏する。
【図面の簡単な説明】
【００１０】
【図１】本考案による塗装・錆剥離装置の剥離作業部材の（  a  ）上面図及び（  b  ）側面図による外観構成説明図である（その１）。
【図２】本考案による塗装・錆剥離装置の剥離作業部材１６の（  a  ）上面図及び（  b  ）側面図による外観構成説明図である（その２）。
【図３】本考案による塗装・錆剥離装置の剥離作業部材１６の（  a  ）上面図及び（  b  ）側面図による外観構成説明図である（その３）。
【図４】本考案による塗装・錆剥離装置の剥離作業部材１６の（  a  ）上面図及び（  b  ）側面図による外観構成説明図である（その４）。
【図５】本考案による塗装・錆剥離装置の剥離作業部材１６の外観構成説明図である（その５）。
【図６】本考案による塗装・錆剥離用の剥離刃３の構成を（  a  ）やすり状、（  b  ）鋸刃状、（  c  ）凹凸状、（  d  ）ギア状の各種タイプ別で説明する説明図である。
【図７】本考案による実施例１における塗装・錆剥離装置による塗装剥離作業の実施状態を示す説明図である（その１）。
【図８】本考案による実施例１における塗装・錆剥離装置による塗装剥離作業の実施状態を示す説明図である（その２）。
【図９】本考案による塗装・錆剥離装置のアタッチメント２４の外観構成説明図である（その１）。
【図１０】本考案による塗装・錆剥離装置のアタッチメント２４の外観構成説明図である（その２）。
【図１１】本考案による塗装・錆剥離装置の剥離部２２の（  a  ）上面図及び（  b  ）側面図による外観構成説明図である（その１）。
【図１２】本考案による塗装・錆剥離装置の剥離部２２の（  a  ）上面図及び（  b  ）側面図による外観構成説明図である（その２）。
【図１３】本考案による塗装・錆剥離装置の剥離部２２の（  a  ）上面図及び（  b  ）側面図による外観構成説明図である（その３）。
【図１４】本考案による実施例２における塗装・錆剥離装置による塗装剥離作業の実施状態を示す説明図である（その１）。
【図１５】本考案による実施例２における塗装・錆剥離装置による塗装剥離作業の実施状態を示す説明図である（その２）。
【考案を実施するための形態】
【００１１】
以下この考案について、実施例１及び実施例２に基づいて説明する。
（実施例１）
本考案の実施例１における建築構造物のボルト・ナット部の塗装・錆剥離装置１は、螺旋状に延出形成されて、略円筒状態に外観形成された剛性、靭性を有する鋼材製剥離部本体２と、該剥離部本体２の外周面に連続する凹凸形状を刻設して形成した剥離刃３と、を有する剥離部４と、前記剥離部４の軸方向に有する円柱状空間部５と、該円柱状空間部５内に取り付けられるアタッチメント１８と、前記アタッチメント１８に取り付けられる回転部材６とを有して構成されている。
そして、前記剥離部４は、前記回転部材６により軸方向を回転軸として回転可能に構成されている。
【００１２】
まず、本実施例１における前記剥離部４を構成する前記鋼材製剥離部本体２は、螺旋状に延出して形成され、略円筒状態に外観形成される。また前記鋼材製剥離部本体２軸方向には、円柱状空間部５が形成される。
【００１３】
ここで、前記鋼材製剥離部本体２の線径、断面形状、外形、全長は何ら限定されるものではないが、本考案では、前記鋼材製剥離部本体２は任意の線径、断面形状、外形、全長により、予め複数タイプのものが作成され、後記する塗装・錆剥離作業においては適宜なタイプのものが作業者１４により選出されて使用される。
なお、前記鋼材製剥離部本体２を既製ボルト材１７を利用して加工し形成しても構わない（図５参照）。
すなわち、前記既製ボルト材１７の軸心方向に向かい、該既製ボルト材１７外周の羅刻部１０の複数箇所に軸方向に向かって切り込み加工を施すことにより、もって前記剥離刃３を形成できるのである。
【００１４】
また、前記剥離刃３の形状は何ら限定されるものではないが、本考案の実施例では前記剥離刃３は前記鋼材製剥離部本体２の外周面に連続する凹凸形状を刻設して形成され、図６（ａ）〜（ｄ）に示される各種の形状タイプのものが予め作成され、後記する剥離作業においては、作業に適宜な形状タイプのものが選出されて使用される。
【００１５】
例えば、図６（ａ）、（ｂ）から理解されるように、前記剥離刃３の形状をやすり状や鋸刃状に形成しても構わないし、あるいは（ｃ）、(ｄ)から理解されるように、前記剥離刃３の形状を凸凹状、ギア状に形成してもかまわない。
いわゆる凸凹状、ギア状、やすり状あるいは鋸刃状に形成したタイプでは、塗装剥離を比較的大胆、迅速に行うことができることから作業現場での状況を考慮し、いずれのタイプの刃形状を使用するか選択すればよく、前述したような刃形状の異なるタイプを予め複数個用意しておき、これらを使い分けてもかまわない。
【００１６】
ここで、前記鋼材製剥離部本体２は十分な剛性、靭性をもつように調質された鋼材が用いられる。
係る形状及び材質の特性をもってして、剥離作業の際、剥離対象物たるボルト８・ナット９との接触時の反発力を吸収して反動が軽減でき、作業者１４の負担を軽減することができる。
【００１７】
さらに、前記鋼材製剥離部本体２には円柱状空間部５を有しているため、冷却性が良く、剥離作業時の前記鋼材製剥離部本体２の発熱を防止し、同時に剥離された塗料等を円柱状空間部５から排出可能とし、もって剥離作業の効率を向上させることが可能である。
また、ボルト８・ナット９の側面のみならず、登頂面などの平面の剥離にも使用でき、汎用性の高いものとなっている。
【００１８】
次に、前記回転部材６は、前記鋼材製剥離部本体２の円柱状空間部５内に取り付けられる前記アタッチメント１８に取り付け可能な形状の回転軸部７を有しているものであれば良く、該回転部材６や回転軸部７の形状は何ら限定されるものではない。
本考案の実施例では、モータなどで構成された回転部材６の回転軸部７は円柱状をなして形成される。
なお、前記回転部材６はモータ回転数が変更可能なタイプのものを用いても構わない。
【００１９】
また、本考案の実施例において、符号１８はアタッチメントを示す。該アタッチメント１８を介して回転部材６の回転軸部７に剥離部４が脱着可能にして取り付けられる。
すなわち、図１に示すようにアタッチメント１８の一方側端部に、六角頭ナット状の基部１１が形成されており、該基部１１に前記鋼材製剥離部本体２の一方側端面が固着して取り付けられている。
【００２０】
ここで、図２及び図３に示す前記アタッチメント１８では前記基部１１の一方側端面から前記剥離部本体２の延出方向と反対側に向かって突出形成された接続部１２を有して構成される。
しかして、前記剥離部４とアタッチメント１８を備えて剥離作業部材１６が構成される（図１乃至図４参照）。該剥離作業部材１６は回転部材６に対して、前記アタッチメント１８を介して、いわゆるスムーズに脱着出来るようアタッチメント式に取り付け可能としたものである。
【００２１】
なお、前記図１及び図４に示すタイプの前記剥離作業部材１６は前記基部１１の内周に回転部材６と接続可能な雌ネジ部１３が形成され、あるいは、図２及び図３に示すタイプの前記剥離作業部材１６は前記接続部１２の内周に回転部材６と接続可能な雌ネジ部１３が形成され、回転部材６に対してアタッチメント式に取り付け可能とされている例である。
【００２２】
さらに、前記剥離部４とアタッチメント１８との取り付けに関しては何ら限定されものではないが、本考案の実施例では、前記剥離部４の円柱状空間部５に、円柱状に形成されたアタッチメント１８が嵌合して固定され、もって前記剥離部４が、前記回転部材６により軸方向を回転軸として回転可能なものとされている。
【００２３】
また、前記剥離部４と、前記アタッチメント１８とは、脱着可能に構成しても構わない。
すなわち、前記剥離部４を例えば長尺、短尺タイプの複数のタイプを予め作成して、剥離作業の作業箇所に応じて、適宜なタイプのものに交換可能なものとすることが必要だからである。
そして、前記剥離部４とアタッチメント１８を有した前記剥離作業部材１６を回転部材６に取り付け、もって塗装・錆剥離装置１として使用する。
【００２４】
ここで、前記回転部材６は回転モータを有するものであれば良く、何ら限定されるものではない。例えば、小型・軽量の電動工具が使用され、本考案においてはディスクサンダを使用し、もって塗装・錆剥離装置１としている。
なお、剥離作業現場では、上述したとおり、多量に設けられた複雑形状をなすボルト８・ナット９の剥離作業が行われる事から、小型で軽量タイプの回転部材６が好ましい。
また、前記回転部材６はモータ回転数が変更可能なタイプのものを用いても構わない。
【００２５】
ここで、図４に示す前記剥離作業部材１６は、前記円柱状空間部５内に前記回転軸部７の登頂面から上方に向かって突出してなる略円柱状の飛散防止片１９が設けられたタイプである。
すなわち、前記飛散防止片１９は、剥離作業時において、回転を伴った前記剥離作業部材１６が破損した場合、前記剥離部４の飛散を防止することを目的として設けられるものである。すなわち、たとえ、剥離部４が途中で切断などの破損があった場合でも、前記飛散防止片１９に引っかかり、その破片が飛び散ることがないものとなる。
なお、前記飛散防止片１９は、前記回転軸部７と一体に形成しても構わないし、前記のように、別体で形成したものを連結したものでも構わないものである。
【００２６】
次に、実施例１における本考案の現場実施例について説明する。
図７及び図８には作業者１４による現場での本実施例１における塗装・錆剥離装置１を用いた塗装・錆剥離作業について示す。
前述とおり、作業者１４は剥離作業の現場に適したタイプの前記剥離刃３を有する剥離作業部材１６を選び、前記回転部材６に前記アタッチメント１８を介して取り付け、使用する。
【００２７】
ここで、前述のように、前記鋼材製剥離部本体２が十分な剛性、靭性を有しているため、当該形状及び材質の特性により剥離作業の対象物たるボルト８・ナット９との接触時の反発力を吸収し、かつ反動を軽減でき、作業者１４の負担を軽減することができる。
さらには、上記の特徴をもって、接触音を小さく保て、素地調節後の表面を均質にできる。
【００２８】
また、前記回転部材６には小型・軽量の開発工具を使用するため、該回転部材６の電動モーター単体の動作音以下で作業でき、塗替え塗装工事につき住宅近隣場所や夜間作業の騒音対策として有効である。さらにコストも低減できるのである。
また、前述のように、前記鋼材製剥離部本体２は円柱状空間部５を有して形成されるため、冷却性が良く剥離作業時の前記鋼材製剥離部本体２の発熱を防止し、同時に剥離された塗料等を前記円柱状空間部５から排出可能とし、もって剥離作業の効率を向上させることが可能でなのである。
【００２９】
さらに、前述した図４に示す前記剥離作業部材１６を用いた場合では、前記円柱状空間部５内に飛散防止片１９が設けられているため、作業時において、回転を伴った前記剥離作業部材１６が破損した場合に前記剥離部４の飛散を防止でき、もって作業者１４の安全性向上をも図ることができる。
【００３０】
次に、前記鋼材製剥離部本体２の上記構成からボルト８・ナット９の側面部だけではなく、登頂面などの平面部の剥離にも使用できる。
ここで、図７はボルト８・ナット９の側面部に対する剥離作業の際の塗装・錆剥離装置１の使用態様について説明するものである。
【００３１】
この場合、図７に示すように、剥離作業の対象物たる前記ボルト８の軸方向及びナット９の側面に対し、前記剥離部４軸方向を略平行に当接して、剥離作業を行うのである。
【００３２】
そして、図８はボルト８の登頂面、ナット９の平面あるいは鉄橋１５の平面など平面箇所に対する剥離作業の際の塗装・錆剥離装置１の使用態様について説明するものである。
この場合は、図８に示すように、剥離作業の対象物たる前記ボルト８の登頂面、ナット９の平面あるいは鉄橋１５の平面に対し、前記剥離部４軸方向を略垂直方向に保った状態で、該剥離部４の底面を当接して、剥離作業を行う。
【００３３】
さらに、前述のように、前記鋼材製剥離部本体２が十分な剛性、靭性を有しており当該形状及び材質の特性をもって、ボルト８・ナット９の塗料のみならず、前記ボルト８・ナット９やネジのピッチ等の局所に生じた錆も剥離でき、錆除去作業への併用も可能なものとできる。
しかして、本考案による塗装・錆剥離装置１であれば、鉄橋など建築構造物において部材接続のために用いられたボルト８・ナット９の再塗装前の従前塗装面剥離作業につき、たとえ、ボルト８・ナット９が表面側に突出して、しかも大量に存在していても、当該塗装面の塗装剥離作業を確実、容易に行え、もって当該箇所における剥離作業の効率を向上でき、剥離作業後の再塗装の仕上がりを最適のものとし、
【００３４】
さらには、作業時の接触音が小さく、均質な素地調節後の表面を確保でき、小型・軽量の開発工具を駆動源たる回転部材６に使用できるため、その電動モーター単体の動作音以下で作業でき、塗替え塗装工事につき住宅近隣場所や夜間作業の騒音対策として有効に寄与でき、錆除去に併用でき、またコスト低減にも寄与するとの優れた効果を奏する。
【００３５】
（実施例２）
次に、本考案の実施例２における建築構造物のボルト・ナット部の塗装・錆剥離装置１は、剛性、靭性を有する鋼材製剥離部本体２０と、該剥離部本体２０の外周面に連続する凹凸形状を刻設して形成した剥離刃２１と、を有する剥離部２２と、前記剥離部２２の軸方向に有する接続部２３と、該接続部２３に取り付けられるアタッチメント２４と、前記アタッチメント２４に接続される回転部材６とを有して構成されている。
そして、前記剥離部２２は、前記回転部材６により軸方向を回転軸として回転可能に構成されている。
【００３６】
まず、本実施例２における前記剥離部２２を構成する前記鋼材製剥離部本体２０については、柱状に外観形成される。
ここで、前記鋼材製剥離部本体２０の線径、断面形状、外形、全長は何ら限定されるものではないが、本考案では、前記鋼材製剥離部本体２０は任意の線径、断面形状、外形、全長により、予め複数タイプのものが作成され、後記する塗装・錆剥離作業においては適宜なタイプのものが作業者１４により選出されて使用される。
【００３７】
また、前記剥離刃２１の形状は何ら限定されるものではないが、本実施例２では前記剥離刃２１は前記鋼材製剥離部本体２０の外周面に連続する凹凸形状を刻設して形成される。
すなわち、図１１乃至図１３に示されるとおり各種の形状タイプのものが予め作成され、後記する剥離作業においては、作業に適宜な形状タイプのものが選出されて使用される。
【００３８】
例えば、図１１から理解されるように、略円柱状をなす前記鋼材製剥離部本体２０の外周面に螺旋状に凹状溝を刻設して前記剥離刃２１を形成しても構わないし、あるいは図１２から理解されるように、略六角柱状をなす前記鋼材製剥離部本体２０の先端部所定箇所に略凹状の切り欠き部３３を複数刻設して前記剥離刃２１を形成しても構わないし、あるいは図１３から理解されるように、略円柱状をなす前記鋼材製剥離部本体２０の外周面軸方向及び幅方向に各々凹状溝を複数刻設して前記剥離刃２１を形成してもかまわない。
【００３９】
上記のように形成したタイプでは、塗装剥離を比較的大胆、迅速に行うことができることから作業現場での状況を考慮し、いずれのタイプの刃形状を使用するか選択すればよく、前述したような刃形状の異なるタイプを予め複数個用意しておき、これらを使い分けてもかまわない。
【００４０】
また、前記鋼材製剥離部本体２０は十分な剛性、靭性をもつように調質された鋼材が用いられる。
そして、前記鋼材製剥離部本体２０の形状及び材質の特性をもって、剥離作業の際には、剥離対象物たるボルト８・ナット９の側面のみならず、登頂面などの平面の剥離にも使用でき、汎用性の高いものとできる。
【００４１】
また、前記剥離部２２の軸方向には接続部２３が設けられ、該接続部２３に前記アタッチメント２４が取り付け可能なように形成される。
もって、前記前記剥離部２２と前記アタッチメント２４はアタッチメント式に取り付け可能な構成をなす。
【００４２】
ここで、前記接続部２３については、図１１及び図１２に示すタイプの前記剥離部２２では該本体軸方向に中空軸状に雌ネジ穴を形成して前記接続部２３を構成し、図１３に示すタイプの前記剥離部２２では該剥離部２２軸方向の一方端部側から外部に突出形成する雄ネジを形成して前記接続部２３を構成する。
なお、前記アタッチメント２４には前記回転部材６が接続されるように構成されている。
【００４３】
次に本考案の実施例２において、図９及び図１０に示す符号２４はアタッチメントを示す。
該アタッチメント２４を介して、前記回転部材６の回転軸部７に前記剥離部２２が脱着可能にして取り付けられる。
【００４４】
前記アタッチメント２４は前記剥離部２２に接続される剥離部接続部２５と、前記回転部材６に接続される回転部材接続部２６と、前記剥離部接続部２５と前記回転部材接続部２６とを連結する連結部材２７とで構成される。
【００４５】
ここで、前記連結部材２７には緩衝性を有する材質が用いられ、係る材質の特性をもってして、剥離作業の際、前記剥離部２２と剥離対象物たるボルト８・ナット９との接触時の反発力を吸収して、その反動を軽減でき、作業者１４の負担を軽減することができる。また、前記剥離部２２の耐久性も向上できる効果をなす。
【００４６】
ここで、前記アタッチメント２４の形状及び構成は何ら限定されるものではないが、図９に示されるタイプの前記アタッチメント２４では、前記剥離部接続部２５及び前記回転部材接続部２６は略円柱状の形状をなし、かつ各々の内部には前記連結部材２７を取り付け可能な連結空間部２８、２８が各々設けられ、さらに各々の外周面には前記連結部材２７を前記連結空間部２８、２８内で固定すべく、固定用雌ネジ穴２９、２９・・・が設けられる。
【００４７】
そして、前記連結部材２７は略円柱状の形状をなし、緩衝性を有する材質、例えばゴム材により形成され、係る材質をもって緩衝効果を生じさせるものとする。
しかして、前記連結部材２７は前記剥離部接続部２５と前記回転部材接続部２６とを連結する。
【００４８】
具体的には、前記連結空間部２８、２８内に前記連結部材２７を嵌合し、前記固定用雌ネジ穴２９、２９・・・に固定用ボルト３０、３０・・・を各々螺挿して固定することで、前記連結部材２７を介して前記剥離部接続部２５と前記回転部材接続部２６とを連結固定できる。
【００４９】
次に、図１０に示されるタイプの前記アタッチメント２４では、前記剥離部接続部２５及び前記回転部材接続部２６は、各々同一形状をなして形成される。
すなわち、図に示すとおり、前記剥離部接続部２５及び前記回転部材接続部２６の一方側端部には六角頭ナット状の基部３１が形成されるとともに、該基部３１端面の一方側から前記連結部材２７を固定する円柱状固定部３２が設けられて形成される。
【００５０】
そして、図に示されるとおり、前記剥離部接続部２５及び前記回転部材接続部２６間には、スプリング状に形成された前記連結部材２７の両端部が各々、前記円柱状固定部３２、３２に固着して取り付けられている。
しかして、図１０に示す前記アタッチメント２４は、前記連結部材２７を介して前記剥離部接続部２５と、前記回転部材接続部２６を連結して構成する。
【００５１】
ここで、前記前記連結部材２７の形状はスプリング状に形成されることから、もって緩衝効果を生じさせるものとなる。
また、本実施例２における図９及び図１０に示される前記アタッチメント２４は、一方側が前記剥離部２２を接続できるように構成され、他方には前記回転部材６が接続されるように構成されている。
【００５２】
すなわち、前記アタッチメント２４の剥離部接続部２５は前記剥離部２２が前記接続部２３により接続可能に形成され、また前記アタッチメント２４の回転部材接続部２６には前記回転部材６が前記回転軸部７により接続可能に形成される。
しかして、前記アタッチメント２４に前記剥離部２２及び前記回転部材６が取り付け可能に構成され、もって、前記剥離部２２が、前記回転部材６により軸方向を回転軸として回転可能なものとされている。
【００５３】
そして前記剥離部２２と、前記アタッチメント２４とは、脱着可能であるため、前記剥離部２２を例えば長尺、短尺タイプの複数のタイプを予め作成して、剥離作業の作業箇所に応じて、適宜なタイプのものに交換可能なものとすることもできる。
しかして、前記剥離部２２とアタッチメント２４とを回転部材６に取り付け、もって塗装・錆剥離装置１として使用する。
【００５４】
なお、前記接続部２３の構成については何ら限定されるものではないが、図１１及び図１２に示す前記接続部２３については、前述のとおり、前記剥離部２２の軸方向に雌ネジ穴を形成し、あるいは図１３に示す前記接続部２３については、前記剥離部２２の一方端部側から外部に突出形成する雄ネジを形成して前記接続部２３を構成する。
【００５５】
しかして、前記剥離部２２と前記アタッチメント２４を連結し（図９及び図１０参照）、回転部材６に対して、前記アタッチメント２４を介して、前記剥離部２２をいわゆるスムーズに脱着出来るようアタッチメント式に取り付け可能としたものである。
【００５６】
ここで、上記の前記剥離部２２と前記アタッチメント２４の連結及び、前記アタッチメント２４と前記回転部材６との連結ついては、前記接続部２３と前記剥離部接続部２５の螺合方向、及び前記回転部接続部２６と前記回転軸部７の螺合方向が前記回転部材６の回転方向に対して、逆方向に構成されるため、後記する剥離作業の際、はずれないように構成される。
【００５７】
次に、前記回転部材６は、上記した実施例１で述べたものと同一の構成を有するものが用いられ、本実施例２においては前記アタッチメント２４に取り付け可能な形状の回転軸部７を有しているものであれば良く、該回転部材６や回転軸部７の形状は何ら限定されるものではない。
【００５８】
次に、実施例２における本考案の現場実施例について説明する。
本実施例２については前述した実施例１の現場実施例と基本的構成は同一であるが、以下図面に基づき説明する。
【００５９】
まず図１４及び図１５には作業者１４による現場での本実施例２における塗装・錆剥離装置１を用いた塗装・錆剥離作業について示す。
前述のとおり、作業者１４は剥離作業の現場に適したタイプの前記剥離刃２１を有する前記剥離部２２及び前記アタッチメント２４を選び、前記回転部材６に前記アタッチメント２４を介して前記剥離部２２を取り付け、使用する。
【００６０】
ここで、前述のように、前記アタッチメント２４における前記連結部材２７が十分な緩衝性を有しているため、剥離作業の際、前記剥離部２２と剥離対象物たるボルト８・ナット９との接触時の反発力を吸収して、その反動を軽減でき、作業者１４の負担を軽減することができる。また、前記剥離部２２の耐久性も向上させる効果をなす。
さらには、上記の特徴をもって、接触音を小さく保て、素地調節後の表面を均質にできる。
【００６１】
また、前述のように、前記回転部材６には小型・軽量の開発工具を使用するため、該回転部材６の電動モーター単体の動作音以下で作業でき、塗替え塗装工事につき住宅近隣場所や夜間作業の騒音対策として有効である。さらにコストも低減できるのである。
【００６２】
次に、前記剥離部２２の上記構成から実施例１と同様、ボルト８・ナット９の側面部だけではなく、登頂面などの平面部の剥離にも使用できる。
ここで、図１４はボルト８・ナット９の側面部に対する剥離作業の際の塗装・錆剥離装置１の使用態様について説明するものである。
【００６３】
この場合、実施例１と同様、図１４に示すように、剥離作業の対象物たる前記ボルト８の軸方向及びナット９の側面に対し、前記剥離部２２軸方向を略平行に当接して、剥離作業を行うのである。
そして、図１５はボルト８の登頂面、ナット９の平面あるいは鉄橋１５の平面など平面箇所に対する剥離作業の際の塗装・錆剥離装置１の使用態様について説明するものである。
【００６４】
この場合も、実施例１と同様、図１５に示すように、剥離作業の対象物たる前記ボルト８の登頂面、ナット９の平面あるいは鉄橋１５の平面に対し、前記剥離部２２軸方向を略垂直方向に保った状態で、該剥離部２２の底面を当接して、剥離作業を行う。
【００６５】
なお、図１２に示すタイプの前記剥離部２２においては、前記鋼材製剥離部本体２０の先端部所定箇所に略凹状の切り欠き部３３が複数刻設されるため、特にボルト８・ナット９の側面、登頂面あるいは平面などの剥離作業において効率的に剥離でき、もって剥離作業の効率化を向上させることができる。
【００６６】
しかして、本考案による本実施例２の塗装・錆剥離装置１であれば、上記した実施例１と同様の優れた効果を奏するとともに、特に本実施例２においては、前記アタッチメント２４の構成に係る前記連結部材２７に緩衝性を有する材質が用いられて、係る材質の特性をもってして、剥離作業の際、前記剥離部２２と剥離対象物たるボルト８・ナット９との接触時の反発力を吸収して、その反動を軽減でき、作業者１４の負担を軽減することができ、前記剥離部２２の耐久性をも向上できる優れた効果を奏する。
【符号の説明】
【００６７】
１      塗装・錆剥離装置
２      鋼材製剥離部本体    
３      剥離刃
４      剥離部    
５      円柱状空間部
６      回転部材
７      回転軸部
８      ボルト
９      ナット  
１０    螺刻部
１１    基部  
１２    接続部    
１３    雌ネジ部
１４    作業者
１５    鉄橋
１６    剥離作業部材
１７    既製ボルト材
１８    アタッチメント
１９    飛散防止片
２０    鋼材製剥離部本体  
２１    剥離刃
２２    剥離部  
２３    接続部
２４    アタッチメント
２５    剥離部接続部
２６    回転部接続部
２７    連結部材
２８    連結空間部
２９    固定用雌ネジ穴
３０    固定用ボルト
３１    基部
３２    円柱状固定部
３３    切り欠き部  
【図１】
0003157391.tif 000003
【図２】
0003157391.tif 000004
【図３】
0003157391.tif 000005
【図４】
0003157391.tif 000006
【図５】
0003157391.tif 000007
【図６】
0003157391.tif 000008
【図７】
0003157391.tif 000009
【図８】
0003157391.tif 000010
【図９】
0003157391.tif 000011
【図１０】
0003157391.tif 000012
【図１１】
0003157391.tif 000013
【図１２】
0003157391.tif 000014
【図１３】
0003157391.tif 000015
【図１４】
0003157391.tif 000016
【図１５】
0003157391.tif 000017
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
螺旋状に延出形成されて、略円筒状態に外観形成された剛性、靭性を有する鋼材製剥離部本体と、該剥離部本体の外周面に連続する凹凸形状を刻設して形成した剥離刃と、を有する剥離部と、
前記剥離部の軸方向に有する円柱状空間部と、
該円柱状空間部内に取り付けられるアタッチメントと、
前記アタッチメントに取り付けられる回転部材と、
を備え、
前記剥離部は、前記回転部材により軸方向を回転軸として回転可能に構成された、
ことを特徴とする塗装・錆剥離装置。
【請求項２】
前記円柱状空間部内には、飛散防止片を設けた、
ことを特徴とする請求項１記載の塗装・錆剥離装置。
【請求項３】
前記剥離部は、前記回転部材に対し、脱着可能に形成された、
ことを特徴とする請求項１または請求項２記載の塗装・錆剥離装置。
【請求項４】
剛性、靭性を有する鋼材製剥離部本体と、該剥離部本体の外周面に形成された剥離刃と、を有する剥離部と、
前記剥離部の軸方向に有する接続部と、
前記接続部に取り付けられるアタッチメントと、
前記アタッチメントに接続される回転部材と、
を備え、
前記アタッチメントは、前記剥離部に接続される剥離部接続部と、前記回転部材に接続される回転部材接続部と、剥離部接続部及び回転部材接続部とを連結する緩衝性を有する連結部材とよりなり、
前記剥離部は、前記回転部材により軸方向を回転軸として回転可能に構成された、
ことを特徴とする塗装・錆剥離装置。